(57)【要約】【課題】色純度の低下だけではなくて、彩度の低下を抑制することを可能とする映像信号変換装置及び映像表示装置を提供する。【解決手段】制御部１３０は、映像入力信号に応じて映像出力信号を生成する。第４色成分光は、赤成分光、緑成分光及び青成分光のいずれか２色の色成分光である代替成分光によって代替可能である。制御部１３０は、第４色成分光の光量に応じて、映像入力信号のうち、代替成分光に対応する入力信号である減算対象信号の減算処理を行い、映像出力信号のうち、代替成分光に対応する出力信号を生成する。【選択図】図４
2009134018.tif 000002
【特許請求の範囲】
【請求項１】
赤成分光、緑成分光、青成分光及び第４色成分光を含む光を発する光源を有する映像表示装置において、映像入力信号に応じて映像出力信号を生成する制御部を備えた映像信号変換装置であって、
前記映像入力信号は、前記赤成分光に対応する赤入力信号、前記緑成分光に対応する緑入力信号及び前記青成分光に対応する青入力信号を含み、
前記映像出力信号は、前記赤成分光に対応する赤出力信号、前記緑成分光に対応する緑出力信号及び前記青成分光に対応する青出力信号を含み、
前記第４色成分光は、前記赤成分光、前記緑成分光及び前記青成分光のいずれか２色の色成分光である代替成分光によって代替可能であり、
前記制御部は、前記第４色成分光の光量に応じて、前記映像入力信号のうち、前記代替成分光に対応する入力信号である減算対象信号の減算処理を行い、前記映像出力信号のうち、前記代替成分光に対応する出力信号を生成することを特徴とする映像信号変換装置。
【請求項２】
前記制御部は、前記減算対象信号の減算結果に応じて、前記映像入力信号のうち、前記代替成分光以外の色成分光に対応する入力信号である加算対象信号の加算処理を行い、前記映像出力信号のうち、前記代替成分光以外の色成分光に対応する出力信号を生成することを特徴とする請求項１に記載の映像信号変換装置。
【請求項３】
赤成分光、緑成分光、青成分光及び第４色成分光を含む光を発する光源と、映像入力信号に応じて映像出力信号を生成する制御部と、前記映像出力信号に応じて、映像を表示する映像表示手段とを備え、
前記映像入力信号は、前記赤成分光に対応する赤入力信号、前記緑成分光に対応する緑入力信号及び前記青成分光に対応する青入力信号を含み、
前記映像出力信号は、前記赤成分光に対応する赤出力信号、前記緑成分光に対応する緑出力信号及び前記青成分光に対応する青出力信号を含み、
前記第４色成分光は、前記赤成分光、前記緑成分光及び前記青成分光のいずれか２色の色成分光である代替成分光によって代替可能であり、
前記制御部は、前記第４色成分光の光量に応じて、前記映像入力信号のうち、前記代替成分光に対応する入力信号である減算対象信号の減算処理を行い、前記映像出力信号のうち、前記代替成分光に対応する出力信号を生成することを特徴とする映像表示装置。
【発明の詳細な説明】
【技術分野】
【０００１】
本発明は、赤入力信号、緑入力信号及び青入力信号に応じて、赤出力信号、緑出力信号及び青出力信号を生成する映像信号変換装置及び映像表示装置に関する。
【背景技術】
【０００２】
従来、赤成分光を変調する赤光変調素子と、緑成分光を変調する緑光変調素子と、青成分光を変調する青光変調素子とを備えた３板式の投写型映像表示装置が一般的に広く知られている。
【０００３】
ここで、光源が発する白色光を分離する際に、赤成分光の光量を優先する方法や緑成分光の光量を優先する方法などが考えられる。赤成分光の光量を優先する場合には、赤成分光の波長帯が短波長側に広げられるため、赤成分光によって再現される色がオレンジ色となる。一方で、緑成分光の光量を優先する場合には、緑成分光の波長帯域が長波長側に広げられるため、緑成分光によって再現される色が黄緑色となる。従って、赤成分光、緑成分光及び青成分光によって再現される色純度が低下してしまう。
【０００４】
これに対して、色純度の向上を目的とする投写型映像表示装置も提案されている（例えば、特許文献１）。具体的には、投写型映像表示装置では、赤成分光及び緑成分光のうち、特定波長を有する色成分光（例えば、黄成分光Ｙｅ）を含む色成分光の光量を減少させ、赤成分光及び緑成分光以外の青成分光の光量を増加させる。
【０００５】
すなわち、赤入力信号及び緑入力信号のいずれか一方から所定値が減算された上で、青入力信号に所定値が加算される。これによって、色純度の低下が抑制されている。
【特許文献１】特開２００１−１８６５３９号公報（請求項１、［００２８］、図６など）
【発明の開示】
【発明が解決しようとする課題】
【０００６】
しかしながら、青光変調素子から出射される青成分光の光量を増加させると、映像の彩度が低下してしまうという問題があった。
【０００７】
そこで、本発明は、上述した課題を解決するためになされたものであり、色純度の低下だけではなくて、彩度の低下を抑制することを可能とする映像信号変換装置及び映像表示装置を提供することを目的とする。
【課題を解決するための手段】
【０００８】
第１の特徴では、映像信号変換装置は、赤成分光、緑成分光、青成分光及び第４色成分光を含む光を発する光源を有する映像表示装置（投写型映像表示装置１００）に適用される。映像信号変換装置は、映像入力信号に応じて映像出力信号を生成する制御部（制御部１３０）を備える。前記映像入力信号は、前記赤成分光に対応する赤入力信号、前記緑成分光に対応する緑入力信号及び前記青成分光に対応する青入力信号を含む。前記映像出力信号は、前記赤成分光に対応する赤出力信号、前記緑成分光に対応する緑出力信号及び前記青成分光に対応する青出力信号を含む。前記第４色成分光は、前記赤成分光、前記緑成分光及び前記青成分光のいずれか２色の色成分光である代替成分光によって代替可能である。前記制御部は、前記第４色成分光の光量に応じて、前記映像入力信号のうち、前記代替成分光に対応する入力信号である減算対象信号の減算処理を行い、前記映像出力信号のうち、前記代替成分光に対応する出力信号を生成する。
【０００９】
かかる特徴によれば、制御部は、第４色成分光の光量に応じて、減算対象信号の減算処理を行い、代替成分光に対応する出力信号を生成する。従って、色純度の低下だけではなくて、彩度の低下を抑制することができる。
【００１０】
上述した第１の特徴において、前記制御部は、前記減算対象信号の減算結果に応じて、前記映像入力信号のうち、前記代替成分光以外の色成分光に対応する入力信号である加算対象信号の加算処理を行い、前記映像出力信号のうち、前記代替成分光以外の色成分光に対応する出力信号を生成する。
【００１１】
第２の特徴では、映像表示装置は、赤成分光、緑成分光、青成分光及び第４色成分光を含む光を発する光源と、映像入力信号に応じて映像出力信号を生成する制御部と、前記映像出力信号に応じて、映像を表示する映像表示手段とを備える。前記映像入力信号は、前記赤成分光に対応する赤入力信号、前記緑成分光に対応する緑入力信号及び前記青成分光に対応する青入力信号を含む。前記映像出力信号は、前記赤成分光に対応する赤出力信号、前記緑成分光に対応する緑出力信号及び前記青成分光に対応する青出力信号を含む。前記第４色成分光は、前記赤成分光、前記緑成分光及び前記青成分光のいずれか２色の色成分光である代替成分光によって代替可能である。前記制御部は、前記第４色成分光の光量に応じて、前記映像入力信号のうち、前記代替成分光に対応する入力信号である減算対象信号の減算処理を行い、前記映像出力信号のうち、前記代替成分光に対応する出力信号を生成する。
【発明の効果】
【００１２】
本発明によれば、色純度の低下だけではなくて、彩度の低下を抑制することを可能とする映像信号変換装置及び映像表示装置を提供することができる。
【発明を実施するための最良の形態】
【００１３】
以下において、本発明の実施形態に係る投写型映像表示装置について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
［第１実施形態］
（投写型映像表示装置）
以下において、第１実施形態に係る投写型映像表示装置について、図面を参照しながら説明する。図１は、第１実施形態に係る投写型映像表示装置１００を示す図である。
【００１６】
図１に示すように、投写型映像表示装置１００は、投写レンズユニット１１０と、照明装置１２０とを有する。なお、図１では、光源１０が発する光の偏光方向を一の偏光方向（例えば、Ｐ偏光方向）に揃えるＰＢＳ（Ｐｏｌａｒｉｚｅｄ  Ｂｅａｍ  Ｓｐｌｉｔｔｅｒ）などが省略されていることに留意すべきである。
【００１７】
投写レンズユニット１１０は、複数のレンズ群によって構成される。投写レンズユニット１１０は、照明装置１２０から出射される映像光をスクリーン（不図示）上に投写する。
【００１８】
照明装置１２０は、光源１０と、フライアイレンズユニット２０と、複数の液晶パネル３０（液晶パネル３０Ｒ、液晶パネル３０Ｇ及び液晶パネル３０Ｂ）と、ダイクロイックプリズム４０とを有する。
【００１９】
光源１０は、ＵＨＰランプなどのランプ光源である。光源１０は、赤成分光、緑成分光、青成分光及び黄成分光Ｙｅを含む光（例えば、白色光）を発する。黄成分光Ｙｅは、赤成分光の波長帯と緑成分光の波長帯との間の波長帯を有する色成分光である。また、黄成分光Ｙｅは、赤成分光及び緑成分光によって代替可能な代替成分光である。
【００２０】
フライアイレンズユニット２０は、フライアイレンズ２１及びフライアイレンズ２２によって構成される。フライアイレンズ２１及びフライアイレンズ２２は、それぞれ、複数の微少レンズによって構成される。複数の微少レンズのそれぞれは、光源１０から出射された光を液晶パネル３０上に集光する。
【００２１】
液晶パネル３０Ｒは、液晶を挟むように配置された一対の偏光板を有する。液晶パネル３０Ｒは、赤出力信号に応じて赤成分光を変調する。同様に、液晶パネル３０Ｇ及び液晶パネル３０Ｂは、液晶を挟むように配置された一対の偏光板を有する。液晶パネル３０Ｇ及び液晶パネル３０Ｂは、緑出力信号及び青出力信号に応じて緑成分光及び青成分光を変調する。
【００２２】
ダイクロイックプリズム４０は、液晶パネル３０Ｒから出射された赤成分光、液晶パネル３０Ｇから出射された緑成分光及び液晶パネル３０Ｂから出射された青成分光を合成する。ダイクロイックプリズム４０は、ダイクロイックプリズム４０によって合成された光（映像光）を投写レンズユニット１１０側に出射する。
【００２３】
照明装置１２０は、ダイクロイックミラー５１と、ダイクロイックミラー５２と、ミラー６１と、ミラー６２と、ミラー６３とを有する。
【００２４】
ダイクロイックミラー５１は、青成分光を透過して、赤成分光及び緑成分光を反射する。ここで、ダイクロイックミラー５１のカットオフ波長は、青成分光の波長帯と緑成分光の波長帯との間に設けられる。
【００２５】
ダイクロイックミラー５２は、赤成分光を透過して、緑成分光を反射する。ここで、ダイクロイックミラー５２のカットオフ波長は、緑成分光の波長帯と赤成分光の波長帯との間に設けられる。
【００２６】
第１実施形態では、ダイクロイックミラー５２のカットオフ波長は、黄成分光Ｙｅの波長帯と赤成分光の波長帯との間に設けられる。すなわち、黄成分光Ｙｅは、緑成分光とともに液晶パネル３０Ｇ側に導かれる。
【００２７】
ミラー６１は、青成分光を反射して、青成分光を液晶パネル３０Ｂ側に導く。ミラー６２及びミラー６３は、赤成分光を反射して、赤成分光を液晶パネル３０Ｒ側に導く。
【００２８】
（色成分光の波長帯）
以下において、第１実施形態に係る色成分光の波長帯について、図面を参照しながら説明する。図２（ａ）及び図２（ｂ）は、第１実施形態に係る色成分光の波長帯を示す図である。
【００２９】
図２（ａ）及び図２（ｂ）に示すように、青成分光は、波長（ａ）よりも短波長側の波長帯を有する。緑成分光は、波長（ａ）と波長（ｂ）との間の波長帯を有する。黄成分光Ｙｅは、波長（ｂ）と波長（ｃ）との間の波長帯を有する。赤成分光は、波長（ｃ）よりも長波長側の波長帯を有する。
【００３０】
黄成分光Ｙｅを利用しないケースでは、図２（ａ）に示すように、黄成分光Ｙｅがカットされる。第１実施形態では、ダイクロイックミラー５２のカットオフ波長が波長（ｃ）であるため、ダイクロイックミラー５２によって分離された緑成分光の光路上において黄成分光Ｙｅがカットされる。
【００３１】
黄成分光Ｙｅを利用するケースでは、図２（ｂ）に示すように、黄成分光Ｙｅがカットされない。第１実施形態では、ダイクロイックミラー５２のカットオフ波長が波長（ｃ）であるため、黄成分光Ｙｅは緑成分光に重畳される。
【００３２】
（色再現範囲）
以下において、第１実施形態に係る色再現範囲について、図面を参照しながら説明する。図３は、第１実施形態に係る色再現範囲を示す図である。
【００３３】
図３に示すように、黄成分光Ｙｅを利用しないケース（上述した図２（ａ））では、照明装置１２０から出射される光の色再現範囲（Ｒ，Ｇ，Ｂ）は、点Ｒ、点Ｇ及び点Ｂを頂点とする三角形である。これに対して、黄成分光Ｙｅを利用するケース（上述した図２（ｂ））では、照明装置１２０から出射される光の色再現範囲（Ｒ，Ｇ，Ｂ，Ｙｅ）は、点Ｒ、点Ｇ’及び点Ｂを頂点とする三角形である。
【００３４】
このように、黄成分光Ｙｅを利用するケースでは、基本的に、黄成分光Ｙｅを利用しないケースに比べて、照明装置１２０から出射される光の色再現範囲が縮小する。
【００３５】
（投写型映像表示装置の機能）
以下において、第１実施形態に係る投写型映像表示装置の機能について、図面を参照しながら説明する。図４は、第１実施形態に係る投写型映像表示装置１００に設けられた制御部１３０を示すブロック図である。
【００３６】
図４に示すように、制御部１３０は、入力信号受付部１３１と、光量特定部１３２と、減算部１３３と、加算部１３４と、出力部１３５とを有する。
【００３７】
入力信号受付部１３１は、赤入力信号Ｒｉｎ、緑入力信号Ｇｉｎ及び青入力信号Ｂｉｎを取得する。入力信号受付部１３１は、赤入力信号Ｒｉｎ、緑入力信号Ｇｉｎ及び青入力信号Ｂｉｎを光量特定部１３２に入力する。
【００３８】
光量特定部１３２は、液晶パネル３０Ｇから出射される黄成分光Ｙｅの光量を特定する。具体的には、光量特定部１３２は、光源１０から出射される黄成分光Ｙｅの光量（最大光量）と液晶パネル３０Ｇの透過率とを乗算して、液晶パネル３０Ｇから出射される黄成分光Ｙｅを特定する。続いて、光量特定部１３２は、液晶パネル３０Ｇから出射される黄成分光Ｙｅに相当する信号（仮想信号Ｙｅ１）を取得する。
【００３９】
なお、光量特定部１３２は、光源１０から出射される光の特性を予め記憶しており、光源１０に印可される電力に応じて、黄成分光Ｙｅの最大光量を特定する。
【００４０】
減算部１３３は、仮想信号Ｙｅ１に応じて、赤入力信号Ｒｉｎ及び緑入力信号Ｇｉｎの減算処理を行う。具体的には、減算部１３３は、最初に、仮想信号Ｙｅ１と最小値（ＭＩＮ（Ｒ，Ｇ））とを比較する。なお、最小値（ＭＩＮ（Ｒ，Ｇ））は、赤入力信号Ｒｉｎ及び緑入力信号Ｇｉｎのうち、信号強度が低い入力信号の値である。
【００４１】
続いて、減算部１３３は、仮想信号Ｙｅ１≦最小値（ＭＩＮ（Ｒ，Ｇ））であれば、赤入力信号Ｒｉｎ及び緑入力信号Ｇｉｎの双方から仮想信号Ｙｅ１を減算する（式（１）及び式（２）を参照）。一方で、減算部１３３は、仮想信号Ｙｅ１＞最小値（ＭＩＮ（Ｒ，Ｇ））であれば、赤入力信号Ｒｉｎ及び緑入力信号Ｇｉｎの双方から最小値（ＭＩＮ（Ｒ，Ｇ））を減算する（式（３）及び式（４）を参照）。
【数１】
2009134018.tif 000003
【００４２】
加算部１３４は、減算部１３３の減算結果に応じて、青入力信号Ｂｉｎの加算処理を行う。具体的には、加算部１３４は、最初に、仮想信号Ｙｅ１と最小値（ＭＩＮ（Ｒ，Ｇ））とを比較する。
【００４３】
続いて、加算部１３４は、仮想信号Ｙｅ１≦最小値（ＭＩＮ（Ｒ，Ｇ））であれば、青入力信号Ｂｉｎの加算処理を行わない（式（５）を参照）。加算部１３４は、仮想信号Ｙｅ１＞最小値（ＭＩＮ（Ｒ，Ｇ））であれば、青入力信号Ｂｉｎの加算処理を行う（式（６）を参照）。
【数２】
2009134018.tif 000004
【００４４】
出力部１３５は、減算部１３３の減算結果及び加算部１３４の加算結果に基づいて、赤出力信号Ｒｏｕｔ、緑出力信号Ｇｏｕｔ及び青出力信号Ｂｏｕｔを生成する。赤出力信号Ｒｏｕｔ、緑出力信号Ｇｏｕｔ及び青出力信号Ｂｏｕｔは、それぞれ、上述した赤信号Ｒ１、緑信号Ｇ１及び青信号Ｂ１である。
【００４５】
（仮想信号Ｙｅ１の取得方法）
以下において、第１実施形態に係る仮想信号Ｙｅ１の取得方法について、図面を参照しながら説明する。図５は、第１実施形態に係る仮想信号Ｙｅ１の取得方法を説明するための図である。
【００４６】
図５では、液晶パネル３０Ｇの透過率は“ｐ”、光源１０から出射される緑成分光の光量（最大光量）は“ＧＬｍａｘ”、光源１０から出射される黄成分光Ｙｅの光量（最大光量）は“ＹｅＬｍａｘ”、液晶パネル３０Ｇから出射される緑成分光の光量は“ＧＬ１”、液晶パネル３０Ｇから出射される黄成分光Ｙｅの光量は“ＹｅＬ１”である。
【００４７】
このようなケースでは、光量ＧＬ１及び光量ＹｅＬ１は、以下の式（７）及び式（８）によって表される。なお、透過率“ｐ”は、緑出力信号Ｇｏｕｔによって定められる実透過率である。
【数３】
2009134018.tif 000005
【００４８】
一方で、液晶パネル３０Ｇから出射される緑成分光の所望光量“ＧＬ２”は、以下の式（９）及び式（１０）によって表される。なお、透過率“ｑ”は、緑入力信号Ｇｉｎによって定められる理論透過率である。
【数４】
2009134018.tif 000006
【００４９】
なお、式（９）は、仮想信号Ｙｅ１を利用しないケースにおいて、理論的な緑成分光の所望光量を表している。一方で、式（１０）は、仮想信号Ｙｅ１を利用するケースにおいて、実際的な緑成分光の所望光量を表している。
【００５０】
式（９）及び式（１０）を用いると、以下の式（１１）及び式（１２）を導き出すことが可能である。
【数５】
2009134018.tif 000007
【００５１】
ここで、式（１２）を式（８）に代入すると、以下の式（１３）を導き出すことが可能である。
【数６】
2009134018.tif 000008
【００５２】
上述したように、理論透過率“ｑ”は、緑入力信号Ｇｉｎによって定められるため、既知の値である。また、最大光量“ＧＬｍａｘ”及び最大光量“ＹｅＬｍａｘ”は、光源１０から出射される光の特性によって定められるため、既知の値である。
【００５３】
すなわち、上述した光量特定部１３２は、緑入力信号Ｇｉｎ、最大光量“ＧＬｍａｘ”及び最大光量“ＹｅＬｍａｘ”に基づいて光量“ＹｅＬ１”を特定することが可能である。従って、光量特定部１３２は、光量“ＹｅＬ１”に相当する仮想信号Ｙｅ１を取得することが可能である。
【００５４】
（映像出力信号の算出例）
以下にいて、第１実施形態に係る映像出力信号の算出例について説明する。以下においては、仮想信号Ｙｅ１が“８０”であり、赤入力信号Ｒｉｎ、緑入力信号Ｇｉｎ及び青入力信号Ｂｉｎの信号値（Ｒｉｎ，Ｇｉｎ，Ｂｉｎ）が（５０，１００，５０）である画素について考える。
【００５５】
なお、仮想信号Ｙｅ１が（Ｒｏｕｔ，Ｇｏｕｔ，Ｂｏｕｔ）＝（８０，８０，０）によって置換可能であり、係数Ａが“１”であることを前提とする。仮想信号Ｙｅ１＞最小値（ＭＩＮ（Ｒ，Ｇ））が満たされていることに留意すべきである。
【００５６】
最初に、赤信号Ｒ１及び緑信号Ｇ１が上述した式（３）〜式（４）に従って算出される。
【００５７】
Ｒ１＝Ｒｉｎ−ＭＩＮ（Ｒ，Ｇ）＝５０−５０＝０
Ｇ１＝Ｇｉｎ−ＭＩＮ（Ｒ，Ｇ）＝１００−５０＝５０
続いて、青信号Ｂ１でが上述した式（６）に従って算出される。
【００５８】
Ｂ１＝Ｂｉｎ＋Ａ×（Ｙｅ１−ＭＩＮ（Ｒ，Ｇ））＝５０＋（８０−５０）＝８０
従って、赤出力信号Ｒｏｕｔ、緑出力信号Ｇｏｕｔ及び青出力信号Ｂｏｕｔの信号値（Ｒｏｕｔ，Ｇｏｕｔ，Ｂｏｕｔ）は、（０，５０，８０）である。
【００５９】
最終的には、液晶パネル３０Ｇから出射される黄成分光Ｙｅ（仮想信号Ｙｅ１）が加算される。従って、投写型映像表示装置１００から出射される各色成分光に対応する信号値（Ｒ，Ｇ，Ｂ）は、（８０，１３０，８０）である。
【００６０】
ここで、赤、緑及び青の信号値によって再現される光の色相は、以下の式（２１）〜式（２３）に従って算出される。
【数７】
2009134018.tif 000009
【００６１】
ここで、入力映像信号（５０，１００，５０）の色相（Ｈ）は、（式２２）を用いて算出される。すなわち、入力映像信号（５０，１００，５０）の色相（Ｈ）は“１２０”である。
【００６２】
同様に、投写型映像表示装置１００から出射される映像光（８０，１３０，８０）の色相（Ｈ）は、（式２２）を用いて算出される。具体的には、映像光（８０，１３０，８０）の色相（Ｈ）は“１２０”である。
【００６３】
このように、赤入力信号Ｒｉｎや緑入力信号Ｇｉｎを減少させるだけではなくて、青入力信号Ｂｉｎを増加させることによって、投写型映像表示装置１００から出射される映像光の色相が入力映像信号の色相からずれることが抑制される。
【００６４】
（比較手法の第１例）
比較手法の第１例では、赤入力信号Ｒｉｎ及び緑入力信号Ｇｉｎのうち、小さい方の入力信号に相当する仮想信号Ｙｅ１が、赤入力信号Ｒｉｎ及び緑入力信号Ｇｉｎの双方から減算される。
【００６５】
上述した“映像出力信号の算出例”と同様に、赤入力信号Ｒｉｎ、緑入力信号Ｇｉｎ及び青入力信号Ｂｉｎの信号値（Ｒｉｎ，Ｇｉｎ，Ｂｉｎ）が（５０，１００，５０）である画素について考える。なお、仮想信号Ｙｅ１は“８０”であり、（Ｒｏｕｔ，Ｇｏｕｔ，Ｂｏｕｔ）＝（８０，８０，０）によって置換可能であることを前提とする。
【００６６】
比較手法の第１例では、赤出力信号Ｒｏｕｔ、緑出力信号Ｇｏｕｔ及び青出力信号Ｂｏｕｔは、以下の通りである。
【００６７】
Ｒｏｕｔ＝５０−５０＝０
Ｇｏｕｔ＝１００−５０＝５０
Ｂｏｕｔ＝５０
比較手法の第１例では、投写型映像表示装置１００から出射される各色成分光に対応する信号値（Ｒ，Ｇ，Ｂ）は、（８０，１３０，５０）である。投写型映像表示装置１００から出射される映像光の色相（Ｈ）は、（式２２）を用いて算出される。具体的には、映像光（８０，１３０，８０）の色相（Ｈ）は“９７．５”である。
【００６８】
（比較手法の第２例）
比較手法の第２例では、仮想信号Ｙｅ１が、赤入力信号Ｒｉｎ及び緑入力信号Ｇｉｎの双方から可能な限り減算される。
【００６９】
上述した“映像出力信号の算出例”と同様に、赤入力信号Ｒｉｎ、緑入力信号Ｇｉｎ及び青入力信号Ｂｉｎの信号値（Ｒｉｎ，Ｇｉｎ，Ｂｉｎ）が（５０，１００，５０）である画素について考える。なお、仮想信号Ｙｅ１は“８０”であり、（Ｒｏｕｔ，Ｇｏｕｔ，Ｂｏｕｔ）＝（８０，８０，０）によって置換可能であることを前提とする。
【００７０】
比較手法の第２例では、赤出力信号Ｒｏｕｔ、緑出力信号Ｇｏｕｔ及び青出力信号Ｂｏｕｔは、以下の通りである。
【００７１】
Ｒｏｕｔ＝５０−５０＝０
Ｇｏｕｔ＝１００−８０＝２０
Ｂｏｕｔ＝５０
比較手法の第２例では、投写型映像表示装置１００から出射される各色成分光に対応する信号値（Ｒ，Ｇ，Ｂ）は、（８０，１００，５０）である。投写型映像表示装置１００から出射される映像光の色相（Ｈ）は、（式２２）を用いて算出される。具体的には、映像光（８０，１００，５０）の色相（Ｈ）は“８４”である。
【００７２】
ここで、図６は、比較手法（第１例及び第２例）及び第１実施形態の関係について示す図である。図６に示すように、映像入力信号に相当するポイントＰ１（５０，１００，５０）は、黄成分光Ｙｅの重畳によってポイントＰ２（１３０，１８０，５０）にシフトする。また、赤入力信号Ｒｉｎから仮想信号Ｙｅ１を減算すると、ポイントＰ２（１３０，１８０，５０）はポイントＰ３（８０，１８０，５０）にシフトする。
【００７３】
上述した比較手法の第１例では、赤入力信号Ｒｉｎ及び緑入力信号Ｇｉｎのうち、小さい方の入力信号に相当する仮想信号Ｙｅ１が緑入力信号Ｇｉｎから減算される。従って、ポイントＰ３（８０，１８０，５０）はポイントＰ４（８０，１３０，５０）にシフトする。
【００７４】
上述した比較手法の第２例では、仮想信号Ｙｅ１が緑入力信号Ｇｉｎから可能な限り減算される。従って、ポイントＰ３（８０，１８０，５０）はポイントＰ５（８０，１００，５０）にシフトする。
【００７５】
第１実施形態では、赤入力信号Ｒｉｎ及び緑入力信号Ｇｉｎのうち、小さい方の入力信号に相当する仮想信号Ｙｅ１が緑入力信号Ｇｉｎから減算された上で、赤入力信号Ｒｉｎ及び緑入力信号Ｇｉｎから減算しきれなかった仮想信号Ｙｅ１が青入力信号Ｂｉｎに加算される。従って、ポイントＰ３（８０，１８０，５０）はポイントＰ４（８０，１３０，５０）を経由してポイントＰ６（８０，１３０，８０）にシフトする。
【００７６】
ここで、色相は、ホワイトポイントＷＰから色度図の外周（単色における波長を示す線）と考えられる。映像入力信号に対応する色相は、ホワイトポイントＷＰからポイントＰ１を通って色度図の外周（５２０ｎｍ近傍）に至るベクトルである。
【００７７】
比較手法の第１例に対応する色相は、ホワイトポイントＷＰからポイントＰ４を通って色度図の外周（５４０ｎｍ近傍）に至るベクトルである。比較手法の第２例に対応する色相は、ホワイトポイントＷＰからポイントＰ５を通って色度図の外周（５５０ｎｍ近傍）に至るベクトルである。第１実施形態に対応する色相は、ホワイトポイントＷＰからポイントＰ６を通って色度図の外周（５２０ｎｍ近傍）に至るベクトルである。
【００７８】
このように、上述した計算結果及び図６から明らかなように、第１実施形態によれば、比較手法に比べて、投写型映像表示装置１００から出射される映像光の色相が入力映像信号の色相からずれることが抑制される。
【００７９】
（作用及び効果）
第１実施形態では、減算部１３３は、黄成分光Ｙｅの光量（仮想信号Ｙｅ１）に応じて、赤入力信号Ｒｉｎ及び緑入力信号Ｇｉｎの減算処理を行い、赤出力信号Ｒｏｕｔ及び緑出力信号Ｇｏｕｔを生成する。従って、色純度の低下だけではなくて、彩度の低下を抑制することができる。
【００８０】
第１実施形態では、加算部１３４は、減算部１３３の減算結果に応じて、青入力信号Ｂｉｎの加算処理を行い、青出力信号Ｂｏｕｔを生成する。従って、色純度の低下をさらに抑制することができる。
【００８１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８２】
例えば、黄成分光Ｙｅが重畳された緑成分光の光路上において、黄成分光Ｙｅの透過又は遮光を選択的に切り替える光学素子が設けられていてもよい。例えば、黄成分光Ｙｅを遮光する光学素子が緑成分光の光路上から機械的に出し入れされてもよい。また、緑成分光を透過するとともに、黄成分光Ｙｅの透過又は遮光を電気的に切り替える光学素子が緑成分光の光路上に設けられていてもよい。
【００８３】
光変調素子は、透過型の液晶パネル３０に限定されるものではない。光変調素子は、ＤＭＤ（Ｄｅｇｉｔａｌ  Ｍｉｃｒｏｍｉｒｒｏｒ  Ｄｅｖｉｃｅ）やＬＣＯＳ（Ｌｉｑｕｉｄ  Ｃｒｙｓｔａｌ  ｏｎ  Ｓｉｌｉｃｏｎ）であってもよい。
【００８４】
ダイクロイックミラー５２のカットオフ波長は、黄成分光Ｙｅの波長帯と赤成分光の波長帯との間の波長に限定されるものではない。ダイクロイックミラー５２のカットオフ波長は、緑成分光の波長帯と黄成分光Ｙｅの波長帯との間の波長であってもよい。このようなケースでは、黄成分光Ｙｅは赤成分光に重畳される。従って、仮想信号Ｙｅ１は、赤入力信号Ｒｉｎ、最大光量“ＲＬｍａｘ”及び最大光量“ＹｅＬｍａｘ”に基づいて取得される。
【００８５】
仮想信号Ｙｅ１（光量“ＹｅＬ１”）の取得方法は、実透過率“ｐ”を考慮した取得方法、すなわち、液晶パネル３０Ｇから実際に出射される黄成分光Ｙｅの光量を考慮した取得方法に限定されるものではない。仮想信号Ｙｅ１の取得方法は、単に、理論透過率“ｑ”及び及び最大光量“ＹｅＬｍａｘ”を考慮した取得方法であってもよい。仮想信号Ｙｅ１の取得方法は、単に、最大光量“ＹｅＬｍａｘ”のみを考慮した取得方法であってもよい。
【００８６】
第４色成分光は、黄成分光Ｙｅに限定されるものではない。第４色成分光は、マゼンタ色成分光又はシアン色成分光であってもよい。マゼンタ色成分光は、赤成分光及び青成分光によって代替可能な光である。シアン色成分光は、緑成分光及び青成分光によって代替可能な光である。
【図面の簡単な説明】
【００８７】
【図１】第１実施形態に係る投写型映像表示装置１００を示す図である。
【図２】第１実施形態に係る色成分光の波長帯を示す図である。
【図３】第１実施形態に係る色再現範囲を示す図である。
【図４】第１実施形態に係る制御部１３０を示すブロック図である。
【図５】第１実施形態に係る仮想信号Ｙｅ１の取得方法を示す図である。
【図６】比較手法の第１例、比較手法の第２例及び第１実施形態の関係について示す図である。
【符号の説明】
【００８８】
１０・・・光源、２０・・・フライアイレンズユニット、３０・・・液晶パネル、４０・・・ダイクロイックプリズム、５１〜５２・・・ダイクロイックミラー、６１〜６３・・・ミラー、１００・・・投写型映像表示装置、１１０・・・投写レンズユニット、１２０・・・照明装置、１３０・・・制御部、１３１・・・入力信号受付部、１３２・・・光量特定部、１３３・・・減算部、１３４・・・加算部、１３５・・・出力部
【図１】
2009134018.tif 000010
【図２】
2009134018.tif 000011
【図３】
2009134018.tif 000012
【図４】
2009134018.tif 000013
【図５】
2009134018.tif 000014
【図６】
2009134018.tif 000015